(57)【要約】      （修正有） 【課題】高齢の方や手先に力の入らない人でも、PTP（press though pock）シートの錠剤を簡単に続けて取り出すことができる錠剤取り出し具を提供する。【解決手段】一端側に握り部９を有し、他端に取り出し部２を有する一対の挟み部材を回転可能に連結し、一対の握り部を握ることにより一対の取り出し部が閉じるように構成され、取り出し部が離れる方向にバネ力が加えられている。取り出し具本体の取り出し部に錠剤の取り出し突起３が設けられ、他方の取り出し部には中央に落とし穴が形成されたPTPシートの置き部５が設けられいる。置き部の下には受け容器差し込み部８が付けられており、取り出した錠剤の受け容器６を差し込むことができる。【選択図】図１
0003207530.tif 000002
【実用新案登録請求の範囲】
【請求項１】
一端に握り部を有し他端に取り出し部を有する一対の挟み部材を回転可能に連結し、一対の取り出し部が離れる方向にバネ力を加えるバネが設けられ、一対の握り部を握ると一対の取り出し部が閉じるように形成され、一方の取り出し部には取り出し突起が設けられ、他方の取り出し部には中央に落とし穴が形成された置き部が取り付けられていて、この置き部に錠剤入りシートを置き、取り出し突起で押して錠剤を取り出すことを特徴とする錠剤の簡単取り出し具。
【請求項２】
前記置き部の下に、錠剤を必要なだけ連続して取り出し収集可能にする受け容器が取り付けられ、この受け容器の差し込み部が設けられている請求項１記載の錠剤の簡単取り出し具。
【考案の詳細な説明】
【技術分野】
【０００１】
本考案は、取り出し部を有する一対の挟み部材を回転可能に連結し、握ることにより一対の取り出し部が閉じるように構成され取り出し部が離れる方向にバネ力が加えられる取り出し具本体と、例えば取り外し可能に設けられた受け容器を有するPTP（press though pock）錠剤の簡単取り出し具に関する。
【背景技術】
【０００２】
薬局へ処方箋を持って行くと、PTP（press though pock）包装の錠剤が渡されることがある。このPTP（press though pock）錠剤は、一錠ずつ分離して一枚のシートに入っている。これを一錠ずつPTP（press though pock）シートの突起部分を押して錠剤を取り出すのだが、意外と力が必要で続けて多数出すのは難しい。
【考案の概要】
【考案が解決しようとする課題】
【０００３】
薬局から処方されるPTP（press though pock）包装の錠剤は、一錠ずつ分離して一枚のシートなっており、シートの突起部分を押して取り出すのだが、取り出しにくく、錠剤の数が多くなると落とすこともある。このような問題を解決するPTP（press though pock）錠剤の簡単取り出し具である。
【課題を解決するための手段】
【０００４】
この問題につて解決するためのPTP（press though pock）錠剤の簡単取り出し具は、他端側に取り出し部を有する一対の挟み部材が回転可能に連結し、握ることにより一対の取り出し部が閉じるように構成され、取り出し部が離れる方向にバネ力が加えられる本体に、取り外し可能な錠剤容器が設けられていることを特徴とするPTP（press though pock）錠剤の簡単取り出し具である。
【考案の効果】
【０００５】
PTP（press though pock）錠剤の簡単取り出し具を使用するときは、錠剤受け容器を受け容器の差し込み部に差し込み、PTP（press though pock）錠剤の簡単取り出し具のPTP（press though pock）の置き部にPTP（press though pock）シートの出したい錠剤の透明な突起部分を上にして乗せ、PTP（press though pock）錠剤の簡単取り出し具の握り部をぎゅっと握る。錠剤の必要な数だけ続けて取り出せる。
【０００６】
取り出し終わったら、受け容器を受け容器差し込み部から引き出す。長方形のカプセルは、置き部に、PTP（press though pock)シートの透明な突起部を横向きにセットする方が良い。旅行用に一回づつ訳分けたい時は小さなラップを受け容器に添わせるように入れ、通常の使用方法と同じように取り出す。
【図面の簡単な説明】
【０００７】
【図１】PTP（press though pock）錠剤の簡単取り出し具を側面からみた図
【図２】PTP（press though pock）錠剤の簡単取り出し具を分解した図
【図３】PTP（press though pock）錠剤の受け取り容器の差し込み部に受け容器を差し込んだ図
【図４】PTP（press though pock）錠剤の簡単取り出し具のPTP置き部の上にPTP（press though pock）シートを置いた図
【図５】PTP（press though pock）錠剤の簡単取り出し具の握り部を握った図
【図６】PTP（press though pock）錠剤の簡単取り出し具の受け容器に錠剤を受けた図
【図７】PTP（press though pock）錠剤の簡単取り出し具を引き出した図
【図８】PTP（press though pock）錠剤の簡単取り出し具にポリラップ（ポリ状シート）をセットした図
【図９】錠剤を一回分ずつ包んだ図
【考案を実施するための形態】
【０００８】
本考案はPTP（press though pock）シート１１の錠剤１０を簡単に取り出すものであり、そのために、一端側に握り部９を有し、他端側に取り出し部２を有する一対の挟み部材を回転可能に連結し、一対の握り部９は閉じるように構成され、取り出し部２が離れる方向にバネ力が加えられる。この本体には取り出し部２に錠剤１０取り出し突起３がついており取り出し部２には穴のついた置き部５が設けられている。その下には受け容器６と受け容器の差し込み部８がある。PTP（press though pock）シート１１をPTP置き部５にセットし握り部９を握ることにより、錠剤１０を簡単に取り出せる。
【０００９】
PTP（press though pock）錠剤の簡単取り出し具１は、取り出し部２には取り出し突起３が付いており、取り出し部２の他方にはPTP置き部５がある。このPTP（press though pock）置き部５にPTPシート１１の突起部分１２を上にしてPTP（press though pock）錠剤の簡単取り出し具１の取り出し突起３の下に置き、握り部９を握りこむことで、錠剤１０を簡単にかつ連続して受け容器６に取り出せる。この受け容器６に、小さなポリラップ１３を添わせるように敷けば、１回分ずつに分包できる。必要な数の錠剤１０を押し出し終わったら受け容器６を受け容器差し込み部８から引き出し、受け容器の柄７を持って錠剤１０を服用する。
【符号の説明】
【００１０】
１PTP（press though pock）錠剤の簡単取り出し具
２挟み部材
３取り出し突起
４落とし穴
５PTP置き部
６受け容器
７受け容器の柄
８受け容器差し込み部
９握り部
１０錠剤
１１PTP（press though pock）シート
１２PTP（press though pock）シートの突起部
１３ポリラップシート
【図１】
0003207530.tif 000003
【図２】
0003207530.tif 000004
【図３】
0003207530.tif 000005
【図４】
0003207530.tif 000006
【図５】
0003207530.tif 000007
【図６】
0003207530.tif 000008
【図７】
0003207530.tif 000009
【図８】
0003207530.tif 000010
【図９】
0003207530.tif 000011